(57)【要約】【課題】  リテーナのロックと解除とを良好な操作性で行う。【解決手段】  ツールホルダ９におけるリテーナ１０の軸着部位より後方に形成された収容部４０内には、ロックボタン３９が、コイルバネ４１によって突出方向へ付勢された状態で出没可能に収容されており、ロックボタン３９の突出位置では、前方部４２が工具保持位置でのリテーナ１０の基端の凹部４４に嵌合して、リテーナ１０の回動をロックする。そして、前方部４２よりも高く、且つロックボタン３９の突出位置でリテーナ１０の外面以下となる高さに形成される後方部４３を利用してロックボタン３９を収容部４０内に押し込むと、前方部４２が凹部４４から離反してロックが解除され、リテーナ１０の傾倒が可能となる。【選択図】  図８
2004148489.tif 000002
【特許請求の範囲】
【請求項１】
工具が挿入される筒状のツールホルダと、そのツールホルダに基端を軸着され、前方へ突出して前記工具と係止可能な工具保持位置と、その工具保持位置から所定角度傾倒して前記工具との係止を解除する保持解除位置との間で回動可能なリテーナとからなる打撃工具用ツールリテーナであって、
前記ツールホルダにおける前記リテーナの軸着部位より後方に、リング部材を回動可能に外装し、そのリング部材に、前記工具保持位置でのリテーナの基端に当接或いは近接して前記リテーナの回動を阻止可能なロック部を設けて、前記リング部材の回動操作により前記ロック部を移動させて、前記工具保持位置でのリテーナの回動のロックとその解除とを選択可能としたことを特徴とする打撃工具用ツールリテーナ。
【請求項２】
リング部材に、ロック部がリテーナの回動をロックする位置となるように回転付勢する付勢手段を設けた請求項１に記載の打撃工具用ツールリテーナ。
【請求項３】
工具が挿入される筒状のツールホルダと、そのツールホルダに基端を軸着され、前方へ突出して前記工具と係止可能な工具保持位置と、その工具保持位置から所定角度傾倒して前記工具との係止を解除する保持解除位置との間で回動可能なリテーナとからなる打撃工具用ツールリテーナであって、
前記ツールホルダにおける前記リテーナの軸着部位より後方に、前記ツールホルダの側面に沿ったロックボタンを前後端が揺動可能に軸着すると共に、前記ロックボタンの前端を前記リテーナの基端に押圧させる付勢手段を設ける一方、前記リテーナの基端に、前記工具保持位置で前記ロックボタンの前端が嵌合可能な切除部を形成して、前記ロックボタンの後端の押し込みまたはその解除操作により、前記前端を前記リテーナの切除部に対して嵌脱させて、前記工具保持位置でのリテーナの回動のロックとその解除とを選択可能としたことを特徴とする打撃工具用ツールリテーナ。
【請求項４】
工具が挿入される筒状のツールホルダと、そのツールホルダに基端を軸着され、前方へ突出して前記工具と係止可能な工具保持位置と、その工具保持位置から所定角度傾倒して前記工具との係止を解除する保持解除位置との間で回動可能なリテーナとからなる打撃工具用ツールリテーナであって、
前記ツールホルダにおける前記リテーナの軸着部位より後方に、付勢手段によって外方への突出方向へ付勢されるロックボタンを出没可能に設ける一方、前記リテーナの基端裏側に、前記工具保持位置で前記ロックボタンの前方側の一部が嵌合可能な凹部を形成して、前記ロックボタンの後方側に、前記一部が前記凹部へ嵌合する突出位置で前記リテーナの外面以下の高さとなる押圧部を形成して、その押圧部を利用した前記ロックボタンの押し込みまたはその解除操作により、前記一部を前記リテーナの凹部に対して嵌脱させて、前記工具保持位置でのリテーナの回動のロックとその解除とを選択可能としたことを特徴とする打撃工具用ツールリテーナ。
【請求項５】
ツールホルダとロックボタンとの間に、リテーナの凹部に嵌合する前記ロックボタンの突出位置で前記ロックボタンとリテーナとが非接触となるように前記ロックボタンの突出位置を規制する規制手段を設けた請求項４に記載の打撃工具用ツールリテーナ。
【発明の詳細な説明】
【技術分野】
【０００１】
本発明は、ハンマードリル等の打撃工具の先端に設けられて工具を保持する打撃工具用ツールリテーナに関する。
【背景技術】
【０００２】
上記打撃工具用ツールリテーナ（以下「ツールリテーナ」という）は、例えば下記の特許文献１に開示の如く、ハンマードリル等のハウジングの前端に固定され、工具が挿入される筒状のツールホルダに、コ字状のリテーナの基端を回動可能に軸着してなる。すなわち、遊挿された工具の小径部に、リテーナの前端中央に設けた切欠きを嵌合させてリテーナの回動をロックすることで、工具の抜け止めがなされる構造となっている。特にこの特許文献１には、リテーナのロックを、ツールホルダにおけるリテーナの軸着部後方にあって突出付勢されるプッシュボタンと、リテーナの基端に形成した切欠きとの嵌合によって行う構造が記載されている。
【０００３】
【特許文献１】実開昭６１−７１３８１号公報
【特許文献２】実開平２−３３８０号公報
【特許文献３】実開平２−１９４８５号公報
【発明の開示】
【発明が解決しようとする課題】
【０００４】
この場合、工具の取り外しの際にリテーナのロックを解除するためには、プッシュボタンを押し込んでリテーナの基端との干渉を避ける手順となるが、このとき、回動するリテーナの基端がプッシュボタンを押し込む指にあたるおそれがあり、操作性を低下させてしまう。そこで、特許文献２や特許文献３には、プッシュボタンの先端側に、押し込み操作用の突出部を設けて、リテーナの基端と指との干渉防止を図った考案が開示されている。しかし、この場合、プッシュボタンを押し込まない状態ではツールホルダからプッシュボタンの先端が常に突出する格好となるため、電動工具自体の操作の邪魔になったり、サイドハンドル等の装着の邪魔になったりする。
【０００５】
そこで、請求項１及び３，４に記載の発明は、工具の着脱に伴うリテーナの回動ロックとその解除とが良好な操作性で行えると共に、突出部分を少なくして電動工具自体の操作性等にも影響を与えないツールリテーナを提供することを目的としたものである。
【課題を解決するための手段】
【０００６】
上記目的を達成するために、請求項１に記載の第１発明は、ツールホルダにおけるリテーナの軸着部位より後方に、リング部材を回動可能に外装し、そのリング部材に、工具保持位置でのリテーナの基端に当接或いは近接してリテーナの回動を阻止可能なロック部を設けて、リング部材の回動操作によりロック部を移動させて、工具保持位置でのリテーナの回動のロックとその解除とを選択可能としたことを特徴とするものである。
請求項２に記載の発明は、請求項１の目的に加えて、リング部材の誤操作のおそれをなくして工具保持の信頼性を高めるために、リング部材に、ロック部がリテーナの回動をロックする位置となるように回転付勢する付勢手段を設けたものである。
【０００７】
上記目的を達成するために、請求項３に記載の第２発明は、ツールホルダにおけるリテーナの軸着部位より後方に、ツールホルダの側面に沿ったロックボタンを前後端が揺動可能に軸着すると共に、ロックボタンの前端をリテーナの基端に押圧させる付勢手段を設ける一方、リテーナの基端に、工具保持位置でロックボタンの前端が嵌合可能な切除部を形成して、ロックボタンの後端の押し込みまたはその解除操作により、前端をリテーナの切除部に対して嵌脱させて、工具保持位置でのリテーナの回動のロックとその解除とを選択可能としたことを特徴とするものである。
【０００８】
上記目的を達成するために、請求項４に記載の第３発明は、ツールホルダにおけるリテーナの軸着部位より後方に、付勢手段によって外方への突出方向へ付勢されるロックボタンを出没可能に設ける一方、リテーナの基端裏側に、工具保持位置でロックボタンの前方側の一部が嵌合可能な凹部を形成して、ロックボタンの後方側に、当該一部が凹部へ嵌合する突出位置でリテーナの外面以下の高さとなる押圧部を形成して、その押圧部を利用したロックボタンの押し込みまたはその解除操作により、当該一部をリテーナの凹部に対して嵌脱させて、工具保持位置でのリテーナの回動のロックとその解除とを選択可能としたことを特徴とするものである。
請求項５に記載の発明は、請求項４の目的に加えて、ロックボタンによるロックの信頼性をより高くするために、ツールホルダとロックボタンとの間に、リテーナの凹部に嵌合するロックボタンの突出位置でロックボタンとリテーナとが非接触となるようにロックボタンの突出位置を規制する規制手段を設けたものである。
【発明の効果】
【０００９】
請求項１及び３，４に記載の発明によれば、工具の着脱に伴うリテーナの回動ロックとその解除とが良好な操作性で行える。また、リング部材やロックボタンをリテーナより外側に突出させずに設けられるので、ハンマードリル自体の操作の邪魔になるおそれがない。
請求項２に記載の発明によれば、請求項１の効果に加えて、常態でリテーナのロックが維持されて誤操作のおそれが少なくなり、工具保持の信頼性が高まる。
請求項５に記載の発明によれば、請求項４の効果に加えて、衝撃による偶発的なロックボタンの脱却やリテーナの回動が防止され、ロックボタンによるリテーナのロックの信頼性がより高くなる。
【発明を実施するための最良の形態】
【００１０】
《形態１》
まず、第１発明に対応する実施の形態を説明する。図１は、ハンマードリルの全体図で、ハンマードリル１のハウジング２には、図示しないモータやそのモータの回転をピストンの進退動に変換する打撃機構等が内蔵される。ハウジング２の前方（図１の左側）には、筒状のバレル３が連結されて、そのバレル３内に軸支されたシリンダ４内に、ピストンに連動して進退動するストライカ５が内挿されている。６はハウジング２の後方に延設されたハンドル、７はバレル３へ直交状に装着されたサイドハンドルである。
８は、バレル３の前方に装着されたツールリテーナで、ツールリテーナ８は、バレル３と同軸で固着される筒状のツールホルダ９と、そのツールホルダ９の前方側で上下一対のピン１１，１１によって軸着されるコ字状のリテーナ１０とからなる。このリテーナ１０は、ツールホルダ９の軸心に沿って前方へ突出する工具保持位置と、そこから所定角度傾倒する保持解除位置との間を回動可能で、ツールホルダ９の軸心に穿設された貫通孔１２とシリンダ４とに跨って、インパクトボルト１３が前後移動可能に収容されている。
【００１１】
ツールリテーナ８において、リテーナ１０を軸着するピン１１，１１は、ツールホルダ９に圧入され、先端部分には、図２にも示すように、ツールホルダ９に螺合される抜け止め用の止めネジ１４，１４が係止している。また、ピン１１におけるリテーナ１０の貫通部分には、ゴム製のスリーブ１５が夫々外装されている。このスリーブ１５は、ハンマードリル１の使用に伴いリテーナ１０からツールホルダ９やバレル３側へ伝わる衝撃を緩和するためのものである。なお、一方のピン１１には、軸心を貫通する透孔１６が穿設されているが、この透孔１６は、他方のピン１１を取り外す際に棒等を差し込んで内側から押し出すためのものである。
【００１２】
また、ツールホルダ９において、リテーナ１０の軸着部位後方には、リング部材としてのロックリング１７が外装されている。このロックリング１７は、リテーナ１０の基端間外寸と略同じ外径を有し、図３，４に示す如く、内周へ周方向に形成した凹溝１８内に、周方向に沿った支持ピン２０，２０を前後に並設させたバネ受け１９を収容して、夫々コイルバネ２１，２１の一端を支持ピン２０，２０に外装させている。一方、凹溝１８内でツールホルダ９の外周には、支持ピン２０，２０の周方向延長上で周方向に支持ピン２３，２３を前後に並設させたバネ受け２２がピン９ａにより固着されて、コイルバネ２１，２１の他端が夫々支持ピン２３，２３に外装されている。よって、ロックリング１７は、常態では２つのコイルバネ２１，２１の弾性により、バネ受け１９，２２が凹溝１８の両端に押圧される図３（Ａ）の位置に回転付勢され、ロックリング１７をコイルバネ２１，２１の付勢に抗して同図の矢印で示す方向へ回転させると、支持ピン２０，２３同士が当接する図３（Ｂ）の位置まで回転可能となる。
【００１３】
そして、ロックリング１７の前端には、図５に示す如く、一対の切欠き２４，２４が点対称の位置に形成されている。この切欠き２４は、ロックリング１７の図３（Ａ）の位置では、図５（Ａ）のように工具保持位置でのリテーナ１０の基端における傾倒側の角部１０ａから周方向に離れた位置となるように設定されている。よって、この状態では、ロックリング１７のロック部となる前端縁１７ａがリテーナ１０の基端に当接してリテーナ１０の回動を阻止する（ロック位置）。そして、ロックリング１７の図３（Ｂ）の位置では、図５（Ｂ）に示すように切欠き２４はリテーナ１０の角部１０ａの後方に位置し、同図（Ｃ）のようにリテーナ１０の傾倒を許容する（ロック解除位置）。なお、ロックリング１７の内周面には、リーフスプリング２６を保持する第２凹溝２５が形成されて、このリーフスプリング２６の中央突出部２７が、図３（Ａ）及び図５（Ａ）の位置でツールホルダ９の外周に形成した凹部２８に嵌合して、ロック位置でのロックリング１７のクリック作用を得ている。
【００１４】
以上の如く構成されたツールリテーナ８においては、工具を装着する際、ロックリング１７を図３（Ｂ）のロック解除位置に回転させると、前述のように前端縁１７ａがリテーナ１０の後方から退避し、代わりに切欠き２４，２４が位置してリテーナ１０の傾倒が許容される。よって、そのままリテーナ１０を図５（Ｃ）のように後方の保持解除位置へ回転させてツールホルダ９の前方を開放させれば、貫通孔１２に工具２９が挿入可能となる。工具２９の挿入後、リテーナ１０を再び前方の工具保持位置へ回転させ、ロックリング１７をコイルバネ２１，２１の付勢によって図３（Ａ）のロック位置に戻すと、ロックリング１７の前端縁１７ａによってリテーナ１０の回動は阻止される。この状態でリテーナ１０の中央に形成した切欠き３１が工具２９の小径部３０に嵌合し、工具２９の前方への抜け止めがなされる。これらの手順は工具２９を取り外す場合も同じである。
【００１５】
このように上記形態によれば、ツールホルダ９におけるリテーナ１０の軸着部位より後方に、ロックリング１７を回動可能に外装し、そのロックリング１７に、工具保持位置でのリテーナ１０の基端に当接してリテーナ１０の回動を阻止可能な前端縁１７ａを設けて、ロックリング１７の回動操作により前端縁１７ａを移動させて、工具保持位置でのリテーナ１０の回動のロックとその解除とを選択可能としたことで、工具２９の着脱に伴うリテーナ１０の回動ロックとその解除とが良好な操作性で行える。また、ロックリング１７はリテーナ１０より外側に突出させずに設けられるので、ハンマードリル自体の操作の邪魔になるおそれもない。
特に、ロックリング１７に、前端縁１７ａがリテーナ１０の回動をロックする位置となるように回転付勢するコイルバネ２１，２１を設けているから、常態でリテーナ１０のロックが維持されて誤操作のおそれが少なくなり、工具保持の信頼性が高まる。
【００１６】
なお、ロックリング１７を回転付勢するコイルバネは一段であっても良いし、コイルバネ以外にトーションスプリングや板バネ等の他の付勢手段を用いても差し支えない。但し、これらの付勢手段をなくしてロックリングをロック位置とロック解除位置とで任意に回動可能な構造にとどめても良いが、この場合、ロック位置とロック解除位置夫々でリーフスプリング等によるクリックを得るのが望ましい。
また、ロックリング１７の前端縁１７ａは、必ずしもロック位置でリテーナ１０の基端に当接させる必要はなく、角部１０ａと干渉してリテーナ１０の回動を阻止できれば、後方の近接位置にとどめても良い。
【００１７】
一方、上記形態では、ロックリング１７の前端縁１７ａを周方向に長く形成して、切欠き２４を部分的に設けているが、これと逆に、切欠きを周方向に長く形成し、リテーナ１０の基端に近接或いは当接する前端縁（凸部）を部分的に残して、ロックリングの回動によって凸部をリテーナの後方から退避させることでリテーナの回動を許容する構造とすることもできる。この場合も凸部がリテーナの後方に位置するロック位置への付勢手段を設けても良いし、なくても良い。
【００１８】
《形態２》
次に、第２発明に対応する実施の形態を説明する。なお、ハンマードリルの構成等形態１と重複する構成部は同じ符号を付して説明を省略する。
図６，７に示すように、ここではロックリングに代えて、ツールホルダ９にロックボタン３２，３２が設けられている。このロックボタン３２は、ツールホルダ９におけるリテーナ１０の基端後方に凹設された左右一対の凹部３７，３７内にあって、前端を円形に膨出させた四角板状の操作部３３と、その操作部３３の両側からツールホルダ９側に突設された一対の支持部３４，３４とから形成され、支持部３４，３４を軸着するピン３５によって揺動可能となっている。また、ピン３５にはトーションスプリング３６が外装されて、前方側の端部がツールホルダ９を押圧する方向へ回転付勢されている。
【００１９】
また、ここでは、リテーナ１０の基端側でピン１１の後方部位は、回転付勢されるロックボタン３２の前端と干渉する位置にあり、その表面には、ロックボタン３２の前端の円形部が嵌合可能な切除部３８が夫々形成されている。よって、リテーナ１０の工具保持位置で、図６，７の実線で示すようにロックボタン３２，３２の前端を切除部３８，３８に嵌合させると、ロックボタン３２，３２はツールホルダ９の側面に沿った姿勢で維持される。そして、ここからロックボタン３２，３２の後端を押し込んでトーションスプリング３６の付勢に抗して回転させると、図６の二点鎖線で示すように前端が浮き上がって切除部３８，３８から離反する。この離反状態では、リテーナ１０の回動に伴う基端側の移動軌跡が、ロックボタン３２，３２の前端と干渉しないようになっている。
【００２０】
以上の如く構成されたツールリテーナ８においては、工具２９を装着する際、前述のようにロックボタン３２，３２の後端を押し込むと、ロックボタン３２，３２の前端がリテーナ１０の切除部３８，３８から離反し、リテーナ１０の傾倒が許容されるため、そのままリテーナ１０を図７（Ａ）の二点鎖線で示すように傾倒させ、ツールホルダ９の貫通孔１２に工具２９を挿入する。その後リテーナ１０を前方側へ戻してからロックボタン３２，３２の押し込みを解除すると、ロックボタン３２，３２の前端が再び切除部３８，３８に嵌合してリテーナ１０の回動はロックされる。
【００２１】
このように上記形態２においても、ツールホルダ９に、ツールホルダ９の側面に沿ったロックボタン３２を前後端が揺動可能に軸着すると共に、ロックボタン３２の前端をリテーナ１０の基端に押圧させるトーションスプリング３６を設ける一方、リテーナ１０の基端に、工具保持位置でロックボタン３２の前端が嵌合可能な切除部３８を形成して、ロックボタン３２の後端の押し込みまたはその解除操作により、前端をリテーナ１０の切除部３８に対して嵌脱させて、工具保持位置でのリテーナ１０の回動のロックとその解除とを選択可能としたことで、工具２９の着脱に伴うリテーナ１０の回動ロックとその解除とが良好な操作性で行える。また、ロックボタン３２，３２は、切除部３８への嵌合状態では外側に殆ど突出しないので、ハンマードリル自体の操作の邪魔になるおそれがない。
【００２２】
《形態３》
そして、第３発明に対応する実施の形態を説明する。なお、ハンマードリルの構成等形態１と重複する構成部は形態２と同様に説明を省略する。
図８，９に示すように、ツールホルダ９に設けられるロックボタン３９は、平面円形状を呈し、ツールホルダ９におけるリテーナ１０の一方の基端際に凹設された同形状の収容部４０内へ出没可能に収容され、収容部４０の底面との間に設けられた付勢手段としてのコイルバネ４１により、外方への突出方向へ付勢されている。ここで、リテーナ１０の基端裏面には、ロックボタン３９の前方部４２が嵌合可能な半円状の凹部４４が形成されて、突出付勢される前方部４２の嵌合状態で、ロックボタン３９の突出位置の規制と、リテーナ１０の回動のロックとが可能となっている。
【００２３】
また、ロックボタン３９の押圧部となる後方部４３は、前端縁がリテーナ１０の基端の回動軌跡と干渉しない湾曲形状となって前方部４２よりも高く、且つロックボタン３９の突出位置でリテーナ１０の外面以下となる高さに形成されている。さらに、ロックボタン３９の押し込みにより没入するストロークは、前方部４２が嵌合するリテーナ１０の凹部４４の深さよりも大きい設定となっている。
一方、ツールホルダ９には、収容部４０内へ半径方向に突出するピン４５が嵌着されて、ロックボタン３９の底面側へ同じく半径方向に形成された切欠き４６に係合している。すなわち、ロックボタン３９の回り止めを図って常に適正位置で出没できるようにしたものである。
【００２４】
以上の如く構成されたツールリテーナ８においては、工具２９を装着する際、ロックボタン３９の後方部４３を利用して収容部４０内に押し込むと、図８のＡ部拡大図に示すように、ロックボタン３９の前方部４２がリテーナ１０の凹部４４から下方へ離反し、リテーナ１０の傾倒を許容するため、そのままリテーナ１０を図９（Ａ）の二点鎖線で示すように傾倒させ、ツールホルダ９の貫通孔１２に工具２９を挿入する。その後リテーナ１０を前方側へ戻してからロックボタン３９の押し込みを解除すると、ロックボタン３９の前方部４２が再び凹部４４に嵌合してリテーナ１０の回動はロックされる。
【００２５】
このように上記形態３においても、ツールホルダ９に、コイルバネ４１によって外方への突出方向へ付勢されるロックボタン３９を出没可能に設ける一方、リテーナ１０の基端裏側に、工具保持位置でロックボタン３９の前方部４２が嵌合可能な凹部４４を形成して、ロックボタン３９の後方側に、前方部４２が凹部４４へ嵌合する突出位置でリテーナ１０の外面以下の高さとなる後方部４３を形成して、押圧部４３を利用したロックボタン３９の押し込みまたはその解除操作により、前方部４２を凹部４４に対して嵌脱させて、工具保持位置でのリテーナ１０の回動のロックとその解除とを選択可能としたことで、工具２９の着脱に伴うリテーナ１０の回動ロックとその解除とが良好な操作性で行える。また、ロックボタン３９の後方部４３は、常にリテーナ１０より外側に突出しないので、ハンマードリル自体の操作の邪魔になるおそれがない。
【００２６】
なお、形態２では、ロックボタン３２をツールホルダ９の左右両側に設けているが、形態３のように何れか一方のみに設けて構成の簡略化を図っても良い。逆に、形態３では、ロックボタン３９を一方のみに設けているが、形態２のように左右両側に設けてツールリテーナ１０の確実な回動ロックを図っても良い。
【００２７】
特に、上記形態３においては、リテーナ１０がロックボタン３９に直接当接してロックボタン３９の抜け止めを図る構造となっているが、この場合、空打ちのエネルギーが大きいハンマードリルであると、ツールホルダ９とピン１１との間の隙間等によってリテーナ１０ががたつき、このがたつきがロックボタン３９に伝わって、収容部４０方向でしか移動できないロックボタン３９が収容部４０から脱却し、工具２９の抜けに繋がるおそれがある。そこで、図１０、１１に示すように、ツールホルダ９に、収容部４０内前方に突出するストッパピン４７を設ける一方、ロックボタン３９の前面に、ストッパピン４７が遊挿し、ロックボタン３９の押込み側が終端となる係止溝４８を軸方向に設けて、突出方向へ付勢されるロックボタン３９がストッパピン４７に係止して突出位置が規制される構成とし、この突出位置ではロックボタン３９がリテーナ１０に近接して突出方向では非接触となるように設定するのが望ましい。
【００２８】
このようにストッパピン４７と係止溝４８とからなる規制手段を設けることで、空打ちによる衝撃がロックボタン３９に伝わることがなくなる。よって、衝撃による偶発的なロックボタン３９の脱却やリテーナ１０の傾倒が防止され、ロックボタン３９によるリテーナ１０のロックの信頼性が高くなる。
なお、この規制手段は、上記ストッパピン４７と係止溝４８との構造に限らず、これと逆に、収容部４０の内壁側に設けた係止溝とロックボタン３９に設けた凸部との係止による構造等とすることもできる。
【図面の簡単な説明】
【００２９】
【図１】形態１のハンマードリルの全体図である。
【図２】（Ａ）はツールリテーナにおけるリテーナの軸着部分の横断面図、（Ｂ）はＡ−Ａ線断面図である。
【図３】（Ａ）はロックリング部分の横断面図、（Ｂ）はロックリング部分の横断面図である。
【図４】（Ａ）はＢ−Ｂ線断面図、（Ｂ）はロックリングの部分断面図である。
【図５】（Ａ）はロックリングのロック位置でのツールリテーナの側面図、（Ｂ）はロックリングのロック解除位置でのツールリテーナの側面図、（Ｃ）はリテーナを保持解除位置へ傾倒させたツールリテーナの側面図である。
【図６】（Ａ）は形態２におけるツールリテーナの縦断面図、（Ｂ）はＡ部拡大図である。
【図７】（Ａ）はツールリテーナの側面図、（Ｂ）はロックボタン部分の横断面図である。
【図８】形態３におけるツールリテーナの縦断面図である。
【図９】（Ａ）はツールリテーナの側面図、（Ｂ）はロックボタン部分の横断面図である。
【図１０】形態３の変更例を示すハンマードリルの一部縦断面図である。
【図１１】（Ａ）（Ｂ）は夫々ロックボタン部分の拡大断面図（（Ａ）はロックボタン押し込み状態、（Ｂ）は押込み解除状態）、（Ｃ）はＢ矢視図である。
【符号の説明】
【００３０】
１・・ハンマードリル、２・・ハウジング、３・・バレル、８・・ツールリテーナ、９・・ツールホルダ、１０・・リテーナ、１１・・ピン、１７・・ロックリング、１７ａ・・前端縁、２１・・コイルバネ、２９・・工具、３２，３９・・ロックボタン、３３・・操作部、３４・・支持部、３７・・凹部、３８・・切除部、４０・・収容部、４２・・前方部、４３・・後方部、４７・・ストッパピン、４８・・係止溝。
【図１】
2004148489.tif 000003
【図２】
2004148489.tif 000004
【図３】
2004148489.tif 000005
【図４】
2004148489.tif 000006
【図５】
2004148489.tif 000007
【図６】
2004148489.tif 000008
【図７】
2004148489.tif 000009
【図８】
2004148489.tif 000010
【図９】
2004148489.tif 000011
【図１０】
2004148489.tif 000012
【図１１】
2004148489.tif 000013